(57)【要約】【課題】  使い勝手を格段と向上させ得る処理引継システム、処理引継装置、処理引継方法及び処理引継プログラムを実現する。【解決手段】  パーソナルコンピュータ３は、例えば音楽「赤トンボ」を再生しているカメラ付ＰＤＡ２が接近していることを認識すると、オーディオ機器５に対して当該「赤トンボ」の続きを再生開始させるようにする一方、カメラ付ＰＤＡ２に対して当該「赤トンボ」の再生を停止させる。またオーディオ機器５が音楽「赤トンボ」を再生している際に、カメラ付ＰＤＡ２が離開していくことを認識すると、カメラ付ＰＤＡ２に対して当該「赤トンボ」の続きを再生開始させるようにする一方、オーディオ機器５に対して当該「赤トンボ」の再生を停止させる。【選択図】        図１
2005065125.tif 000002
【特許請求の範囲】
【請求項１】
携帯端末及び当該携帯端末と無線通信する処理引継装置からなる処理引継システムにおいて、
上記処理引継装置は、
上記携帯端末の接近及び離開を認識する接近・離開認識手段と、
上記接近・離開認識手段によって上記携帯端末の接近を認識すると、上記携帯端末の処理を上記処理引継装置側に引き継ぎ、上記接近・離開認識手段によって上記携帯端末の離開を認識すると、上記処理引継装置側の処理を上記携帯端末に引き継がせる処理引継手段と
を具えることを特徴とする処理引継システム。
【請求項２】
携帯端末と無線通信する処理引継装置において、
上記携帯端末の接近及び離開を認識する接近・離開認識手段と、
上記接近・離開認識手段によって上記携帯端末の接近を認識すると、上記携帯端末の処理を上記処理引継装置側に引き継ぎ、上記接近・離開認識手段によって上記携帯端末の離開を認識すると、上記処理引継装置側の処理を上記携帯端末に引き継がせる処理引継手段と
を具えることを特徴とする処理引継装置。
【請求項３】
上記接近・離開認識手段によって上記携帯端末の接近を認識したとき、当該携帯端末に記憶保持されているデータを取得するデータ取得手段
を具えることを特徴とする請求項２に記載の処理引継装置。
【請求項４】
上記接近・離開認識手段は、
上記携帯端末までの距離を周期的に認識する距離認識手段
を有し、
上記距離認識手段の認識結果に基づいて上記携帯端末の接近及び離開を認識する
ことを特徴とする請求項２に記載の処理引継装置。
【請求項５】
上記距離認識手段は、
上記携帯端末へ送信する送信信号の到達距離を順次変化させる到達距離可変手段と、
上記送信信号に対する上記携帯端末からの応答信号を受信する受信手段と
を有し、
上記受信手段によって受信した上記応答信号に対応する上記送信信号の上記到達距離に基づいて、上記携帯端末までの距離を認識する
ことを特徴とする請求項４に記載の処理引継装置。
【請求項６】
上記距離認識手段は、
上記携帯端末への送信信号を送信したときから、当該送信信号に対する上記携帯端末からの応答信号を受信するまでの応答時間を計測する計測手段
を有し、
上記計測手段によって計測した上記応答時間に基づいて、上記携帯端末までの距離を認識する
ことを特徴とする請求項４に記載の処理引継装置。
【請求項７】
上記距離認識手段は、
上記携帯端末から受信した受信信号に基づいて受信信号強度を認識する信号強度認識手段
を有し、
上記信号強度認識手段によって認識した上記受信信号強度に基づいて、上記携帯端末までの距離を認識する
ことを特徴とする請求項４に記載の処理引継装置。
【請求項８】
携帯端末と無線通信する処理引継装置の処理引継方法において、
上記携帯端末の接近及び離開を認識する接近・離開認識ステップと、
上記接近・離開認識ステップによって上記携帯端末の接近を認識すると、上記携帯端末の処理を上記処理引継装置側に引き継ぎ、上記接近・離開認識手段によって上記携帯端末の離開を認識すると、上記処理引継装置側の処理を上記携帯端末に引き継がせる処理引継ステップと
を具えることを特徴とする処理引継装置の処理引継方法。
【請求項９】
携帯端末と無線通信する処理引継装置に対し、
上記携帯端末の接近及び離開を認識する接近・離開認識ステップと、
上記接近・離開認識ステップによって上記携帯端末の接近を認識すると、上記携帯端末の処理を上記処理引継装置側に引き継ぎ、上記接近・離開認識手段によって上記携帯端末の離開を認識すると、上記処理引継装置側の処理を上記携帯端末に引き継がせる処理引継ステップと
を実行させるための処理引継プログラム。
【発明の詳細な説明】
【技術分野】
【０００１】
本発明は処理引継システム、処理引継装置、処理引継方法及び処理引継プログラムに関し、例えば、ＰＤＡ(Personal Digital Assistance)が再生していた音楽の続きをオーディオ機器に再生させる場合に適用して好適なものである。
【背景技術】
【０００２】
ＰＤＡを始めとする近年の携帯端末には多様な機能が備えられている。例えば近年のＰＤＡは、スケジュール管理機能に加えて音楽再生機能等も有しているので、ユーザは外出先において気軽に音楽を聴くことができる（例えば特許文献１）。
【特許文献１】特開２００２−３５８２８７公報
【発明の開示】
【発明が解決しようとする課題】
【０００３】
ところで一般的に、このようなＰＤＡと比べると自宅に設置されるようなオーディオ機器の方が音質は良い。従ってユーザによっては、自宅に帰宅するまでＰＤＡを介して所望の音楽を聴くようにし、自宅に帰宅したときは当該自宅に設置されているオーディオ機器を介してかかる音楽の続きを聴くようなことが行われる。
【０００４】
このときかかるオーディオ機器において、ＰＤＡでこれまで再生されていた音楽の続きを自動的に再生開始することができれば、ユーザに対して何ら操作を行わせなくて良く、かくして使い勝手を向上させることができると考えられる。
【０００５】
本発明は以上の点を考慮してなされたもので、使い勝手を格段と向上させ得る処理引継システム、処理引継装置、処理引継方法及び処理引継プログラムを提案しようとするものである。
【課題を解決するための手段】
【０００６】
かかる課題を解決するために本発明においては、携帯端末及び当該携帯端末と無線通信する処理引継装置からなる処理引継システムにおいて、処理引継装置は、携帯端末の接近及び離開を認識する接近・離開認識手段と、接近・離開認識手段によって携帯端末の接近を認識すると、携帯端末の処理を処理引継装置側に引き継ぎ、接近・離開認識手段によって携帯端末の離開を認識すると、処理引継装置側の処理を携帯端末に引き継がせる処理引継手段とを設けるようにした。
【０００７】
この結果この処理引継システムによれば、携帯端末が処理引継装置に接近したとき、ユーザに何ら操作を行わせることなく、携帯端末の処理の続きを処理引継装置側で実行することができ、また逆に携帯端末が処理引継装置から離れていくときも、ユーザに何ら操作を行わせることなく、処理引継装置側の処理の続きを携帯端末で実行することができる。
【０００８】
また本発明においては、携帯端末と無線通信する処理引継装置において、携帯端末の接近及び離開を認識する接近・離開認識手段と、接近・離開認識手段によって携帯端末の接近を認識すると、携帯端末の処理を処理引継装置側に引き継ぎ、接近・離開認識手段によって携帯端末の離開を認識すると、処理引継装置側の処理を携帯端末に引き継がせる処理引継手段とを設けるようにした。
【０００９】
この結果この処理引継装置によれば、携帯端末が処理引継装置に接近したとき、ユーザに何ら操作を行わせることなく、携帯端末の処理の続きを処理引継装置側で実行することができ、また逆に携帯端末が処理引継装置から離れていくときも、ユーザに何ら操作を行わせることなく、処理引継装置側の処理の続きを携帯端末に実行させることができる。
【００１０】
さらに本発明においては、携帯端末と無線通信する処理引継装置の処理引継方法において、携帯端末の接近及び離開を認識する接近・離開認識ステップと、接近・離開認識ステップによって携帯端末の接近を認識すると、携帯端末の処理を処理引継装置側に引き継ぎ、接近・離開認識手段によって携帯端末の離開を認識すると、処理引継装置側の処理を携帯端末に引き継がせる処理引継ステップとを設けるようにした。
【００１１】
この結果この処理引継方法によれば、携帯端末が処理引継装置に接近したとき、ユーザに何ら操作を行わせることなく、携帯端末の処理の続きを処理引継装置側で実行することができ、また逆に携帯端末が処理引継装置から離れていくときも、ユーザに何ら操作を行わせることなく、処理引継装置側の処理の続きを携帯端末に実行させることができる。
【００１２】
さらに本発明においては、携帯端末と無線通信する処理引継装置に対して実行させる処理引継プログラムにおいて、携帯端末の接近及び離開を認識する接近・離開認識ステップと、接近・離開認識ステップによって携帯端末の接近を認識すると、携帯端末の処理を処理引継装置側に引き継ぎ、接近・離開認識手段によって携帯端末の離開を認識すると、処理引継装置側の処理を携帯端末に引き継がせる処理引継ステップとを設けるようにした。
【００１３】
この結果この処理引継プログラムによれば、携帯端末が処理引継装置に接近したとき、ユーザに何ら操作を行わせることなく、携帯端末の処理の続きを処理引継装置側で実行することができ、また逆に携帯端末が処理引継装置から離れていくときも、ユーザに何ら操作を行わせることなく、処理引継装置側の処理の続きを携帯端末に実行させることができる。
【発明の効果】
【００１４】
本発明によれば、携帯端末及び当該携帯端末と無線通信する処理引継装置からなる処理引継システムにおいて、処理引継装置は、携帯端末の接近及び離開を認識する接近・離開認識手段と、接近・離開認識手段によって携帯端末の接近を認識すると、携帯端末の処理を処理引継装置側に引き継ぎ、接近・離開認識手段によって携帯端末の離開を認識すると、処理引継装置側の処理を携帯端末に引き継がせる処理引継手段とを設けるようにしたことにより、携帯端末が処理引継装置に接近したとき、ユーザに何ら操作を行わせることなく、携帯端末の処理の続きを処理引継装置側で実行することができ、また逆に携帯端末が処理引継装置から離れていくときも、ユーザに何ら操作を行わせることなく、処理引継装置側の処理の続きを携帯端末で実行することができ、この結果、使い勝手を格段と向上させ得る処理引継システムを実現することができる。
【００１５】
また本発明によれば、携帯端末と無線通信する処理引継装置において、携帯端末の接近及び離開を認識する接近・離開認識手段と、接近・離開認識手段によって携帯端末の接近を認識すると、携帯端末の処理を処理引継装置側に引き継ぎ、接近・離開認識手段によって携帯端末の離開を認識すると、処理引継装置側の処理を携帯端末に引き継がせる処理引継手段とを設けるようにしたことにより、携帯端末が処理引継装置に接近したとき、ユーザに何ら操作を行わせることなく、携帯端末の処理の続きを処理引継装置側で実行することができ、また逆に携帯端末が処理引継装置から離れていくときも、ユーザに何ら操作を行わせることなく、処理引継装置側の処理の続きを携帯端末に実行させることができ、この結果、使い勝手を格段と向上させ得る処理引継装置を実現することができる。
【００１６】
さらに本発明によれば、携帯端末と無線通信する処理引継装置の処理引継方法において、携帯端末の接近及び離開を認識する接近・離開認識ステップと、接近・離開認識ステップによって携帯端末の接近を認識すると、携帯端末の処理を処理引継装置側に引き継ぎ、接近・離開認識手段によって携帯端末の離開を認識すると、処理引継装置側の処理を携帯端末に引き継がせる処理引継ステップとを設けるようにしたことにより、携帯端末が処理引継装置に接近したとき、ユーザに何ら操作を行わせることなく、携帯端末の処理の続きを処理引継装置側で実行することができ、また逆に携帯端末が処理引継装置から離れていくときも、ユーザに何ら操作を行わせることなく、処理引継装置側の処理の続きを携帯端末に実行させることができ、この結果、使い勝手を格段と向上させ得る処理引継方法を実現することができる。
【００１７】
さらに本発明によれば、携帯端末と無線通信する処理引継装置に対して実行させる処理引継プログラムにおいて、携帯端末の接近及び離開を認識する接近・離開認識ステップと、接近・離開認識ステップによって携帯端末の接近を認識すると、携帯端末の処理を処理引継装置側に引き継ぎ、接近・離開認識手段によって携帯端末の離開を認識すると、処理引継装置側の処理を携帯端末に引き継がせる処理引継ステップとを設けるようにしたことにより、携帯端末が処理引継装置に接近したとき、ユーザに何ら操作を行わせることなく、携帯端末の処理の続きを処理引継装置側で実行することができ、また逆に携帯端末が処理引継装置から離れていくときも、ユーザに何ら操作を行わせることなく、処理引継装置側の処理の続きを携帯端末に実行させることができ、この結果、使い勝手を格段と向上させ得る処理引継プログラムを実現することができる。
【発明を実施するための最良の形態】
【００１８】
以下図面について、本発明の一実施の形態を詳述する。
【００１９】
（１）無線通信システムの全体構成
図１において、１は全体として無線通信システムを示し、例えば、ユーザによって携帯されるカメラ付ＰＤＡ（Personal Digital Assistance）２と、当該ユーザの自宅内に敷設されているホームネットワークＨＮに属するパーソナルコンピュータ３とを有している。
【００２０】
パーソナルコンピュータ３は、ホームネットワークＨＮ内のルータ４と、所定の無線接続方式（例えばIEEE802.11b）に従って無線通信し、これにより当該ルータ４を介してオーディオ機器５とデータ通信し得るようになされている。因みにこのホームネットワークＨＮ内においては、ＩＰ（Internet  Protocol）に基づく通信が行われるようになされている。
【００２１】
ルータ４は、ホームネットワークＨＮとインターネット６とを接続するゲートウェイとして機能する。例えばこのルータ４は、ＡＤＳＬ（Asymmetric Digital Subscriber
Line）網を介してインターネット６と常時接続するようになされている。
【００２２】
一方、カメラ付ＰＤＡ２は、ホームネットワークＨＮ内のパーソナルコンピュータ３と、ブルートゥース（Bluetooth（Ｒ））通信に準拠した無線接続方式に従って、近距離無線通信し得るようになされている。
【００２３】
なお本実施の形態の場合、カメラ付ＰＤＡ２とパーソナルコンピュータ３との間における近距離無線通信においては、ブルートゥース（Ｒ）通信におけるＰＡＮ（Personal Area Network）プロファイルが適用されている。このＰＡＮプロファイルとは、イーサネット（Ｒ）をエミュレーションするためのプロファイルであり、アドホックなＩＰネットワークを想定して規定されたものである。これによりカメラ付ＰＤＡ２は、パーソナルコンピュータ３との間でＩＰに従った通信を行うことができ、またこの結果、パーソナルコンピュータ３を介してホームネットワークＨＮ中のルータ４及びオーディオ機器５とも、ＩＰに基づいて相互に通信することができる。
【００２４】
また本実施の形態の場合、オーディオ機器５、パーソナルコンピュータ３及びカメラ付ＰＤＡ２との間では、ＵＰｎＰ（Ｒ）に準拠した方式により、各種サービスや各種データを相互に提供し得るようになされている。
【００２５】
（２）ルータの回路構成
次にルータ４の回路構成について図２を用いて説明する。このルータ４は、当該ルータ４を統括的に制御するＣＰＵ（Central
Processing Unit）２０にバス２１を介して、ＲＯＭ（Read Only Memory）２２、ＲＡＭ（Random  Access Memory）２３、入出力インターフェース部２４が接続されて構成されている。またこの入出力インターフェース部２４に対しては、ＡＤＳＬ通信部２５、イーサネット（Ｒ）に準拠した方式によりホームネットワークＨＮと接続するための有線ＬＡＮ通信部２６、無線ＬＡＮ通信部２７及び記憶部２８が接続されて構成されている。
【００２６】
例えばＲＯＭ２２には、基本プログラムや通信制御プログラム等の各種プログラムが予め格納されている。ＣＰＵ２０は、これら各種プログラムをＲＯＭ２２から適宜読み出して、これをＲＡＭ２３に展開して実行することにより、ルータ４の各回路部を制御して各種処理を実行するようになされている。
【００２７】
ＡＤＳＬ通信部２５は、例えばＡＤＳＬ網を介してインターネット６と接続し、有線ＬＡＮ通信部２６は、１０ＢＡＳＥ−Ｔケーブル等を介してホームネットワークＨＮと接続し、無線ＬＡＮ通信部２７は、アンテナ２９を介してパーソナルコンピュータ３と所定の無線接続方式（例えばIEEE802.11b）に従って無線通信する。
【００２８】
ＣＰＵ２０は、上述の通信制御プログラムに従って、これらＡＤＳＬ通信部２５、有線ＬＡＮ通信部２６及び無線ＬＡＮ通信部２７を制御することにより、ルータ４を通過するパケットデータを適切にルーティングし得るようになされている。
【００２９】
（３）パーソナルコンピュータの回路構成
次にパーソナルコンピュータ３の回路構成について図３を用いて説明する。パーソナルコンピュータ３は、当該パーソナルコンピュータ３を統括的に制御するＣＰＵ３０にバス３１を介して、ＲＯＭ３２、ＲＡＭ３３、入出力インターフェース部３４が接続されて構成されている。またこの入出力インターフェース部３４に対しては、液晶ディスプレイ等からなる表示部３５、キーボード等からなる操作部３６、近距離無線通信部３７、無線ＬＡＮ通信部３８、記憶部３９、ドライブ部４０、及びスピーカ等からなるオーディオ出力部４１が接続されて構成されている。
【００３０】
例えばＲＯＭ３２には、基本プログラム、通信制御プログラム、スケジューラプログラム、静止画像データを編集処理するための編集プログラム、記憶部３９等に記憶されている音楽データを再生するための音楽再生プログラム、引継処理（後述する）を実行するための引継処理プログラム等の各種プログラムが予め格納されている。ＣＰＵ３０は、これら各種プログラムをＲＯＭ３２から適宜読み出して、これをＲＡＭ３３に展開して実行することにより、パーソナルコンピュータ３の各回路部を制御して各種処理を実行するようになされている。
【００３１】
例えばＣＰＵ３０は、ユーザにより操作部３６を介して、スケジュールを変更するための操作が行われたことを認識すると、スケジューラプログラムに従ってスケジューリング処理を実行することにより、記憶部３９に記憶されているスケジュールデータを書き換える。またＣＰＵ３０は、ユーザにより操作部３６を介してスケジュールを表示するための操作が行われたことを認識すると、スケジューラプログラムに従ってスケジュール表示処理を実行することにより、記憶部３９に記憶されているスケジュールデータを読み出し、これに基づいて当該ユーザのスケジュールを表示部３５に表示する。
【００３２】
近距離無線通信部３７は、アンテナ４２を介してカメラ付ＰＤＡ２とブルートゥース（Ｒ）に準拠した無線通信を行い、無線ＬＡＮ通信部３８は、アンテナ４３を介してルータ４と所定の無線接続方式（例えばIEEE802.11b）に従って無線通信する。
【００３３】
ＣＰＵ３０は、上述の通信制御プログラムに従って、これら近距離無線通信部３７、無線ＬＡＮ通信部３８を制御することにより、カメラ付ＰＤＡ２やルータ４等とデータ通信し得るようになされている。
【００３４】
ドライブ部４０は、ＣＰＵ３０からの命令に応じて、磁気ディスク、光ディスク、光磁気ディスク、半導体メモリ等の各種メディアに対するデータの書き込み、及び当該各種メディアからのデータの読み出しを行う。
【００３５】
またオーディオ出力部４１は、ＣＰＵ３０からの命令に応じて、例えば記憶部３９に記憶されている音楽データを読み出し、これに基づく音楽を出力する。
【００３６】
（４）カメラ付ＰＤＡの回路構成
次にカメラ付ＰＤＡ２の回路構成について図４を用いて説明する。カメラ付ＰＤＡ２は、当該カメラ付ＰＤＡ２を統括的に制御するためのＣＰＵ５０にバス５１を介して、ＲＯＭ５２、ＲＡＭ５３、入出力インターフェース部５４が接続されて構成されている。またこの入出力インターフェース部５４に対しては、液晶ディスプレイ等からなる表示部５５、テンキー等の各種キーからなる操作部５６、近距離無線通信部５７、記憶部５８、ドライブ部５９、カメラ等からなる撮像部６０、及びイヤホン等からなるオーディオ出力部６１が接続されて構成されている。
【００３７】
例えばＲＯＭ５２には、基本プログラム、通信制御プログラム、スケジューラプログラム、撮像部６０を制御して静止画像を撮像する撮像プログラム、記憶部５８等に記憶されている音楽データを再生する音楽再生プログラム等の各種プログラムが予め格納されている。ＣＰＵ５０は、これら各種プログラムをＲＯＭ５２から適宜読み出して、これをＲＡＭ５３に展開して実行することにより、カメラ付ＰＤＡ２の各回路部を制御して各種処理を実行するようになされている。
【００３８】
例えばＣＰＵ５０は、ユーザにより操作部５６を介して、スケジュールを変更するための操作が行われたことを認識すると、スケジューラプログラムに従ってスケジューリング処理を実行することにより、記憶部５８に記憶されているスケジュールデータを書き換える。またＣＰＵ５０は、ユーザにより操作部５６を介してスケジュールを表示するための操作が行われたことを認識すると、スケジューラプログラムに従ってスケジュール表示処理を実行することにより、記憶部５８に記憶されているスケジュールデータを読み出し、これに基づいて当該ユーザのスケジュールを表示部５５に表示する。
【００３９】
近距離無線通信部５７は、アンテナ６２を介してパーソナルコンピュータ３とブルートゥース（Ｒ）に準拠した無線通信を行う。
【００４０】
ＣＰＵ５０は、上述の通信制御プログラムに従って、近距離無線通信部５７を制御することにより、パーソナルコンピュータ３とデータ通信し得、また当該パーソナルコンピュータ３を介してホームネットワークＨＮ中のルータ４や、その先のオーディオ機器５ともデータ通信し得るようになされている。
【００４１】
ドライブ部５９は、ＣＰＵ５０からの命令に応じて、半導体メモリ等の各種メディアに対するデータの書き込み、及び当該各種メディアからのデータの読み出しを行う。
【００４２】
撮像部６０は、ＣＰＵ５０からの命令に応じて、ユーザ任意の被写体を撮像する撮像処理を実行し、この結果得られた静止画像データを記憶部５８に記憶する。
【００４３】
オーディオ出力部６１は、ＣＰＵ５０からの命令に応じて、例えば記憶部５８に予め記憶されている音楽データを読み出し、これに基づく音楽を出力する。
【００４４】
（５）オーディオ機器の回路構成
次にオーディオ機器５の回路構成について図５を用いて説明する。オーディオ機器５は、当該オーディオ機器５を統括的に制御するＣＰＵ７０にバス７１を介して、ＲＯＭ７２、ＲＡＭ７３、入出力インターフェース部７４が接続されて構成されている。またこの入出力インターフェース部７４に対しては、液晶ディスプレイ等からなる表示部７５、音楽再生ボタンや音楽停止ボタン等からなる操作部７６、有線ＬＡＮ通信部７７、記憶部７８、ドライブ部７９、及びスピーカ等からなるオーディオ出力部８０が接続されて構成されている。
【００４５】
例えばＲＯＭ７２には、基本プログラム、通信制御プログラム、音楽再生プログラム等の各種プログラムが予め格納されている。ＣＰＵ７０は、これら各種プログラムをＲＯＭ７２から適宜読み出して、これをＲＡＭ７３に展開して実行することにより、オーディオ機器５の各回路部を制御して各種処理を実行するようになされている。
【００４６】
有線ＬＡＮ通信部７７は、１０ＢＡＳＥ−Ｔケーブル等を介してホームネットワークＨＮと接続する。
【００４７】
ドライブ部７９は、ＣＰＵ７０からの命令に応じて、磁気ディスク、光ディスク、光磁気ディスク、半導体メモリ等の各種メディアに対するデータの書き込み、及び当該各種メディアからのデータの読み出しを行う。
【００４８】
オーディオ出力部８０は、ＣＰＵ７０からの命令に応じてドライブ部７９を制御し、これにより、磁気ディスク、光ディスク、光磁気ディスク、半導体メモリ等の各種メディアから音楽データを読み出し、これに基づく音楽を出力する。
【００４９】
またオーディオ出力部８０は、例えば有線ＬＡＮ通信部７７を介してパーソナルコンピュータ３にアクセスして、パーソナルコンピュータ３の記憶部３９に記憶されている音楽データを参照し、当該音楽データに基づく音楽をストリーミング再生し得るようにもなされている。
【００５０】
（６）引継処理手順
本実施の形態においては、ユーザによって携帯されて使用されるカメラ付ＰＤＡ２、ホームネットワークＨＮに属するパーソナルコンピュータ３及びオーディオ機器５が連携して引継処理を実行するようになされている。以下ではこの引継処理について説明する。
【００５１】
（６−１）カメラ付ＰＤＡ接近時の引継処理手順
まず最初に、図６及び図７に示すシーケンスチャートを用いて説明する。ここでは、カメラ付ＰＤＡ２を携帯しているユーザが、ホームネットワークＨＮ中のパーソナルコンピュータ３に接近している場合を想定する。
【００５２】
ステップＳＰ１においてカメラ付ＰＤＡ２のＣＰＵ５０は、通信制御プログラムに従って所定の待受け処理を実行することにより、ブルートゥース（Ｒ）通信による接続が可能な待受け状態に移行し、ステップＳＰ２へ移る。
【００５３】
本実施の形態の場合、この待受け状態にあるカメラ付ＰＤＡ２は、いわゆる問い合わせスキャン（Inquiry
Scan）と呼ばれる状態にあり、これにより他の機器から問い合わせ（Inquiry）信号を受信すると、ブルートゥース（Ｒ）接続するために必要な情報（以下、これを接続情報と呼ぶ）を、当該他の機器へ送信するようになされている。また、この待受け状態にあるカメラ付ＰＤＡ２は、いわゆる呼び出しスキャン（Page  Scan）と呼ばれる状態にもあり、これにより他の機器から呼び出し（Page）信号を受信したときも、これに対して適切に応答し得るようになされている。
【００５４】
ステップＳＰ２においてパーソナルコンピュータ３のＣＰＵ３０は、通信制御プログラムに従って、問い合わせ信号を周辺に送信するための問い合わせ処理を実行し、ステップＳＰ３へ移る。
【００５５】
ステップＳＰ３において、パーソナルコンピュータ３に接近しつつあるカメラ付ＰＤＡ２のＣＰＵ５０は、パーソナルコンピュータ３から問い合わせ信号を受信すると、受信した問い合わせ信号に基づいてＲＳＳＩ（受信信号強度表示：Received Signal Strength
Indicator）を算出し、当該算出結果を記したＲＳＳＩ算出結果情報を生成する。そしてカメラ付ＰＤＡ２のＣＰＵ５０は、パーソナルコンピュータ３からの問い合わせ信号に対する応答として、カメラ付ＰＤＡ２の接続情報をＲＳＳＩ算出結果情報と共にパーソナルコンピュータ３に対して送信し、ステップＳＰ４へ移る。
【００５６】
因みにこのカメラ付ＰＤＡ２の接続情報には、例えば、カメラ付ＰＤＡ２を識別するためのデバイスアドレス「01:02:03:04:05:06」も記されている。
【００５７】
ステップＳＰ４においてパーソナルコンピュータ３のＣＰＵ３０は、カメラ付ＰＤＡ２からＲＳＳＩ算出結果情報及び接続情報を受信すると、受信した接続情報に基づいて当該カメラ付ＰＤＡ２のデバイスアドレス「01:02:03:04:05:06」を認識し、このデバイスアドレス「01:02:03:04:05:06」が、記憶部３９に記憶されている動作内容定義テーブルＴＢＬ１（図８）の機器識別子欄ＣＬＭ１に存在するか否かを判定する。
【００５８】
因みに本実施の形態の場合、パーソナルコンピュータ３とブルートゥース（Ｒ）通信に準拠して近距離無線接続する機器（以下、これを近距離無線接続機器と呼ぶ）が既に決定されている。そして、これら近距離無線接続機器のデバイスアドレスは、動作内容定義テーブルＴＢＬ１の機器識別子欄ＣＬＭ１に対して予め記されている。
【００５９】
この場合、カメラ付ＰＤＡ２のデバイスアドレス「01:02:03:04:05:06」が、動作内容定義テーブルＴＢＬ１の機器識別子欄ＣＬＭ１に存在するので、パーソナルコンピュータ３のＣＰＵ３０は、カメラ付ＰＤＡ２を引継処理すべき近距離無線接続機器と判定し、ステップＳＰ４で肯定結果を得てステップＳＰ５へ移る。因みにこのステップＳＰ４において否定結果が得られた場合、パーソナルコンピュータ３のＣＰＵ３０は、上述のステップＳＰ２へ戻る。
【００６０】
ステップＳＰ５においてパーソナルコンピュータ３のＣＰＵ３０は、カメラ付ＰＤＡ２が接近しているのか又は離れていくのか（以下適宜、「離れる」ことを「離開する」とも呼ぶ）を認識するための接近・離開認識処理を実行し、カメラ付ＰＤＡ２が接近していることを認識すると、ステップＳＰ６で肯定結果が得られるので、次のステップＳＰ７Ａ及び７Ｂへ移る。
【００６１】
実際上この接近・離開認識処理では、カメラ付ＰＤＡ２から受信したＲＳＳＩ算出結果情報に基づき、このカメラ付ＰＤＡ２がパーソナルコンピュータ３を中心とする所定範囲内（例えば、１０[m]範囲内）に進入したか否かを判定する。例えば、このＲＳＳＩ算出結果情報に示されている受信信号強度の値が所定値よりも大きいとき、カメラ付ＰＤＡ２が所定範囲内に進入していると判定し、これに対して当該受信信号強度の値が所定値以下であるとき、カメラ付ＰＤＡ２が所定範囲外に存在すると判定する。そしてパーソナルコンピュータ３のＣＰＵ３０は、カメラ付ＰＤＡ２が所定範囲外に存在すると判定した場合、カメラ付ＰＤＡ２が離開していく状態にあると判断し、また逆にカメラ付ＰＤＡ２が所定範囲内に進入していると判定した場合、カメラ付ＰＤＡ２が接近している状態にあると判断する。
【００６２】
因みにこの接近・離開認識処理において、カメラ付ＰＤＡ２が接近も離開もしていない状態、すなわちカメラ付ＰＤＡ２がパーソナルコンピュータ３周辺に留まっている状態にあることを認識すると、このときパーソナルコンピュータ３のＣＰＵ３０は、ステップＳＰ６で否定結果を得て、上述のステップＳＰ２へ戻るようになされている。
【００６３】
ステップＳＰ７Ａ及びステップＳＰ７Ｂにおいて、パーソナルコンピュータ３のＣＰＵ３０及びカメラ付ＰＤＡ２のＣＰＵ５０は、所定の接続処理を行うことにより、パーソナルコンピュータ３及びカメラ付ＰＤＡ２の間で、ブルートゥース（Ｒ）通信による近距離無線接続を確立する。
【００６４】
続くステップＳＰ８においてパーソナルコンピュータ３のＣＰＵ３０は、カメラ付ＰＤＡ２の状態（本実施の形態の場合、カメラ付ＰＤＡ２における音楽再生処理の状態、バッテリー残量の状態、及びカメラ付ＰＤＡ２の記憶部５８に記憶されている静止画像データの状態）を通知するように要求するための状態通知要求信号を、このカメラ付ＰＤＡ２に対して送信し、ステップＳＰ９へ移る。
【００６５】
ステップＳＰ９においてカメラ付ＰＤＡ２のＣＰＵ５０は、パーソナルコンピュータ３から状態通知要求信号を受信すると、これに応じて、例えば音楽再生処理を現在実行している旨と、当該再生している音楽の曲名「赤トンボ」及び現在の再生位置「1:30」と、自身のバッテリー残量が「少ない」旨と、記憶部３９に新規の静止画像データが記憶されている旨とを記したカメラ付ＰＤＡ状態情報を生成した後、これをパーソナルコンピュータ３に対して送信する。
【００６６】
そして、このカメラ付ＰＤＡ状態情報を受信したパーソナルコンピュータ３のＣＰＵ３０は、サブルーチンＳＲＴ１（図７）へ移って動作内容決定処理を実行開始する。ここでは、この動作内容決定処理の手順について、図９を用いて説明する。
【００６７】
ステップＳＰ２１においてパーソナルコンピュータ３のＣＰＵ３０は、所定の処理を実行することにより、ホームネットワークＨＮに属するオーディオ機器５及びパーソナルコンピュータ３自身の状態を認識する。ここで例えば、オーディオ機器５の状態が、音楽再生処理を実行していない状態にあることを認識すると、当該認識結果を記したホームネットワーク機器状態情報を生成する。
【００６８】
そしてパーソナルコンピュータ３のＣＰＵ３０はステップＳＰ２２へ移り、動作内容定義テーブルＴＢＬ１（図８）における複数のルールＲＬ１、ＲＬ２、ＲＬ３、……の中から、これまでに得られた情報に対応するルールを検索する検索処理を実行開始する。
【００６９】
すなわちこのステップＳＰ２２においてパーソナルコンピュータ３のＣＰＵ３０は、適合判断処理を実行する。この適合判断処理では、まず最初にルールＲＬ１の機器識別子欄ＣＬＭ１における記載内容と、カメラ付ＰＤＡ２のデバイスアドレス「01:02:03:04:05:06」とが適合するか判断する。またルールＲＬ１のホームネットワーク機器状態欄ＣＬＭ２における記載内容と、ホームネットワーク機器状態情報とが適合するか判断する。さらにルールＲＬ１の近距離無線接続機器状態欄ＣＬＭ３における記載内容と、カメラ付ＰＤＡ状態情報及びステップＳＰ５における接近・離開認識処理の結果とが適合するか判断する。
【００７０】
ここで本実施の形態の場合、動作内容定義テーブルＴＢＬ１中に記載されている「−」は、特に条件が指定されていないことを意味しているので、例えばルールＲＬ１のホームネットワーク機器状態欄ＣＬＭ２における記載内容と、ホームネットワーク機器状態情報とは適合すると判断される。
【００７１】
そしてこの結果、これら全てについて適合するとの結果を得ると、ステップＳＰ２３で肯定結果を得てステップＳＰ２４へ移り、ルールＲＬ１の動作内容欄ＣＬＭ４における記載内容「近距離無線接続機器での音楽再生を停止させる／近距離無線接続機器で再生されていた音楽の続きをオーディオ機器に再生させる」と、優先度欄ＣＬＭ５の記載内容「高」とを、記憶部３９に予め記憶されている動作内容テーブルＴＢＬ２（図１０（Ａ））の一行目ＬＮ１に書き込んで、ステップＳＰ２５へ移る。
【００７２】
ここで、この動作内容テーブルＴＢＬ２に対しては、パーソナルコンピュータ３が従うべき、今後の動作内容が順次記されるようになされている。
【００７３】
ステップＳＰ２５においてパーソナルコンピュータ３のＣＰＵ３０は、動作内容定義テーブルＴＢＬ１（図８）中の全てのルールＲＬ１、ＲＬ２、ＲＬ３、……について、ステップＳＰ２２の適合判断処理を実行したか否かを判定し、ここで否定結果が得られると、ステップＳＰ２２へ戻って上述の処理を繰り返す。そしてこの後、ルールＲＬ１、ＲＬ２、ＲＬ３、……の全てについて適合判断処理を実行し終えて、その結果、例えば図１０（Ｂ）に示すような動作内容テーブルＴＢＬ２を最終的に得ると、ステップＳＰ２５で肯定結果を得て、ステップＳＰ２６へ移る。
【００７４】
ステップＳＰ２６においてパーソナルコンピュータ３のＣＰＵ３０は、図１０（Ｂ）に示す動作内容テーブルＴＢＬ２の優先度欄ＣＬＭ１２を参照して、優先度の「高」のものから「低」ものへ降順に整列する処理を実行することにより、図１０（Ｃ）に示すような動作内容テーブルＴＢＬ２を生成した後、終了ステップＳＰ２７へ移って動作内容決定処理を終了し、図７のステップＳＰ１０Ａへ復帰する。
【００７５】
ステップＳＰ１０Ａにおいてパーソナルコンピュータ３のＣＰＵ３０は、図１０（Ｃ）に示す動作内容テーブルＴＢＬ２の一行目ＬＮ１〜三行目ＬＮ３のうち、まず最初に一行目ＬＮ１の動作内容欄ＣＬＭ１１に記載されている動作内容に従い、カメラ付ＰＤＡ２に対して、現在再生中の音楽「赤トンボ」を再生停止するように命令する。この命令を受けたカメラ付ＰＤＡ２のＣＰＵ５０は、ステップＳＰ１０Ｂにおいて、現在再生中の音楽「赤トンボ」を再生停止する。
【００７６】
またかかるステップＳＰ１０Ａにおいて、パーソナルコンピュータ３のＣＰＵ３０は、オーディオ機器５に対しても、音楽「赤トンボ」の続き（すなわち再生位置「1:30」以降）を再生開始するように命令しており、この命令を受けたオーディオ機器５のＣＰＵ７０は、ステップＳＰ１０Ｃにおいて、例えば記憶部７８に予め記憶されている「赤トンボ」の音楽データに基づいて、当該「赤トンボ」の続きを再生し始める。また、記憶部７８に「赤トンボ」の音楽データが記憶されていなければ、パーソナルコンピュータ３はホームネットワークＨＮにおいて音楽データを検索するようにしてもよいし、カメラ付ＰＤＡ２から取得するようにしてもよい。
【００７７】
かくしてこの無線通信システム１においては、例えば、カメラ付ＰＤＡ２を介して「赤トンボ」を聴いているユーザが自宅にそのまま帰宅して、当該自宅に据え置かれたパーソナルコンピュータ３に近づくと、このカメラ付ＰＤＡ２で実行されていた音楽再生処理が、自動的にオーディオ機器５に引き継がれる。これによりユーザは、自宅に帰宅したとき何ら操作を行うことなく、カメラ付ＰＤＡ２を介してこれまで聴いていた音楽「赤トンボ」の続きを、自宅のオーディオ機器５を介して引き続き聴くことができる。
【００７８】
次のステップＳＰ１１Ａにおいてパーソナルコンピュータ３のＣＰＵ３０は、二行目ＬＮ２（図１０（Ｃ））の動作内容欄ＣＬＭ１１に記載されている動作内容に従い、カメラ付ＰＤＡ２の記憶部５８に記憶されている新規の静止画像データを全て送信するように、カメラ付ＰＤＡ２に対して命令する。この命令を受けたカメラ付ＰＤＡ２のＣＰＵ５０は、ステップＳＰ１１Ｂにおいて、記憶部５８に記憶されている新規の静止画像データを全てパーソナルコンピュータ３に対して送信（アップロード）する。
【００７９】
かくしてこの無線通信システム１においては、例えば、カメラ付ＰＤＡ２を用いて風景写真を撮り終えたユーザが自宅に帰宅して、当該自宅に据え置かれたパーソナルコンピュータ３に近づくと、カメラ付ＰＤＡ２の記憶部５８に記憶されている新規の静止画像データ（この場合、風景写真に相当する）が、自動的にパーソナルコンピュータ３へアップロードされる。この結果ユーザは、当該アップロードするための操作を行うことなく、パーソナルコンピュータ３を介して当該風景写真の編集作業にすぐさま取り掛かることができる。
【００８０】
続くステップＳＰ１２Ａにおいてパーソナルコンピュータ３のＣＰＵ３０は、三行目ＬＮ３（図１０（Ｃ））の動作内容欄ＣＬＭ１１に記載されている動作内容に従い、カメラ付ＰＤＡ２の記憶部５８に記憶されているスケジュールデータを同期するように、カメラ付ＰＤＡ２に対して命令する。この命令を受けたカメラ付ＰＤＡ２のＣＰＵ５０は、記憶部５８に記憶されている全てのスケジュールデータを、パーソナルコンピュータ３に対して同期させる。
【００８１】
この結果パーソナルコンピュータ３においては、カメラ付ＰＤＡ２から受信したスケジュールデータによって、記憶部３９にこれまで記憶されていたスケジュールデータが上書きされるので、カメラ付ＰＤＡ２におけるスケジュールデータとの同期がとられる。
【００８２】
かくしてこの無線通信システム１においては、例えば、外出先でカメラ付ＰＤＡ２を操作することによりスケジュールデータの書き換えを行ったユーザが自宅に帰宅して、当該自宅に据え置かれたパーソナルコンピュータ３に近づくと、カメラ付ＰＤＡ２に記憶保持されている最新のスケジュールデータが、パーソナルコンピュータ３へ自動的にアップロードされ、スケジュールデータの同期がとられる。この結果ユーザは、当該アップロードするための操作をいちいち行うことなく、パーソナルコンピュータ３を介して最新のスケジュールを確認することができる。
【００８３】
続くステップＳＰ１３Ａ及びＳＰ１３Ｂにおいて、パーソナルコンピュータ３のＣＰＵ３０及びカメラ付ＰＤＡ２のＣＰＵ５０は、パーソナルコンピュータ３及びカメラ付ＰＤＡ２の間で確立されている近距離無線接続を切断するための切断処理を実行し、終了ステップＳＰ１４へ移って引継処理を終了する。
【００８４】
（６−２）カメラ付ＰＤＡ離開時の引継処理手順
次に、図１１及び図１２（図６及び図７との対応部分に同一符号を付す）のシーケンスチャートを用いて説明する。ここでは、カメラ付ＰＤＡ２を携帯しているユーザが、ホームネットワークＨＮ中のパーソナルコンピュータ３から離れていく場合を想定する。また図６及び図７についての説明と重複する部分の説明については、適宜省略する。
【００８５】
この場合、ステップＳＰ５においてパーソナルコンピュータ３のＣＰＵ３０は、接近・離開認識処理を実行し、これによりカメラ付ＰＤＡ２が離開していくことを検出する。そしてパーソナルコンピュータ３のＣＰＵ３０は、ステップＳＰ６で肯定結果を得てステップＳＰ７Ａへ移り、カメラ付ＰＤＡ２との間で所定の接続処理を実行することにより、ブルートゥース（Ｒ）による近距離無線接続を確立する。
【００８６】
次のステップＳＰ８においてパーソナルコンピュータ３のＣＰＵ３０は、カメラ付ＰＤＡ２の状態を通知するように要求するための状態通知要求信号を、このカメラ付ＰＤＡ２に対して送信し、これに応じてカメラ付ＰＤＡ２のＣＰＵ５０は、ステップＳＰ９において、例えば音楽再生処理を現在実行していない旨と、自身のバッテリー残量が「多い」旨とを記したカメラ付ＰＤＡ状態情報を生成し、これをパーソナルコンピュータ３に対して送信する。
【００８７】
そして、カメラ付ＰＤＡ２からカメラ付ＰＤＡ状態情報を受信したパーソナルコンピュータ３のＣＰＵ３０は、サブルーチンＳＲＴ１（図１２）へ移って動作内容決定処理を実行開始する。
【００８８】
このサブルーチンＳＲＴ１のステップＳＰ２１（図９）において、パーソナルコンピュータ３のＣＰＵ３０は、所定の処理を実行することにより、例えばホームネットワークＨＮ中のオーディオ機器５の状態が、音楽「赤トンボ」を再生位置「2:30」まで再生処理している状態であることを認識すると、当該認識結果を記したホームネットワーク機器状態情報を生成する。
【００８９】
次にパーソナルコンピュータ３のＣＰＵ３０は、ステップＳＰ２２へ進んで検索処理を実行開始する。そしてパーソナルコンピュータ３のＣＰＵ３０は、検索処理（ステップＳＰ２２〜ステップＳＰ２５）を繰り返し実行することにより、図１３に示すような動作内容テーブルＴＢＬ３を最終的に得ると、ステップＳＰ２６及び終了ステップＳＰ２７を順次介して図１２のステップＳＰ３０Ａへ復帰する。
【００９０】
このステップＳＰ３０Ａにおいてパーソナルコンピュータ３のＣＰＵ３０は、図１３に示す動作内容テーブルＴＢＬ３の一行目ＬＮ１１及び二行目ＬＮ１２のうち、まず最初に一行目ＬＮ１１の動作内容欄ＣＬＭ２１に記載されている動作内容に従い、オーディオ機器５に対して、現在再生中の音楽「赤トンボ」を再生停止するように命令する。この命令を受信したオーディオ機器５のＣＰＵ７０は、ステップＳＰ３０Ｂにおいて、現在再生中の音楽「赤トンボ」を再生停止する。
【００９１】
またかかるステップＳＰ３０Ａにおいて、パーソナルコンピュータ３のＣＰＵ３０は、カメラ付ＰＤＡ２に対しても、音楽「赤トンボ」の続き（すなわち再生位置「2:30」以降）を再生開始するように命令しており、この命令を受けたカメラ付ＰＤＡ２のＣＰＵ５０は、ステップＳＰ３０Ｃにおいて、当該「赤トンボ」の続きを再生開始する。なお、カメラ付ＰＤＡ２に「赤トンボ」の音楽データが記憶されていなければ、パーソナルコンピュータ３からカメラ付ＰＤＡ２へ送信（アップロード）するようにしてもよい。
【００９２】
かくしてこの無線通信システム１においては、例えば、自宅のオーディオ機器５を介して音楽「赤トンボ」を聴いているユーザが、カメラ付ＰＤＡ２を持ち出して外出する際、オーディオ機器５で実行されていた音楽再生処理が、自動的にカメラ付ＰＤＡ２に引き継がれる。これによりユーザは、自宅から外出する際に何ら操作を行うことなく、オーディオ機器５を介してこれまで聴いていた音楽「赤トンボ」の続きを、カメラ付ＰＤＡ２を介して引き続き聴くことができる。
【００９３】
続くステップＳＰ３１においてパーソナルコンピュータ３のＣＰＵ３０は、二行目ＬＮ１２（図１３）の動作内容欄ＣＬＭ２１に記載されている動作内容に従い、パーソナルコンピュータ３の記憶部３９に記憶されているスケジュールデータを、カメラ付ＰＤＡ２に対して送信（ダウンロード）する。
【００９４】
この結果カメラ付ＰＤＡ２においては、パーソナルコンピュータ３からのスケジュールデータによって、記憶部５８にこれまで記憶されていたスケジュールデータが上書きされることになり、かくしてパーソナルコンピュータ３に記憶されているスケジュールデータとの同期がとられる。
【００９５】
かくしてこの無線通信システム１においては、例えばユーザが、自宅でパーソナルコンピュータ３を操作することによりスケジュールデータを書き換えた後、カメラ付ＰＤＡ２を持ち出して外出する際、パーソナルコンピュータ３に記憶保持されている最新のスケジュールデータが、カメラ付ＰＤＡ２へ自動的にダウンロードされる。この結果ユーザは、当該ダウンロードするための操作をいちいち行うことなく、パーソナルコンピュータ３を介して変更した最新のスケジュールを外出先で確認することができる。
【００９６】
（７）動作及び効果
以上の構成においてパーソナルコンピュータ３は、例えば音楽「赤トンボ」を再生しているカメラ付ＰＤＡ２が接近していることを認識すると、オーディオ機器５に対して当該「赤トンボ」の続きを再生開始させるようにする一方、カメラ付ＰＤＡ２に対して当該「赤トンボ」の再生を停止させる。
【００９７】
このようにしてこの無線通信システム１においては、パーソナルコンピュータ３にカメラ付ＰＤＡ２が接近したとき、ユーザに何ら操作させることなく、カメラ付ＰＤＡ２の音楽再生処理をオーディオ機器５に引き継がせることができる。
【００９８】
またパーソナルコンピュータ３は、オーディオ機器５が音楽「赤トンボ」を再生している際に、カメラ付ＰＤＡ２が離開していくことを認識すると、カメラ付ＰＤＡ２に対して当該「赤トンボ」の続きを再生開始させるようにする一方、オーディオ機器５に対して当該「赤トンボ」の再生を停止させる。
【００９９】
このようにしてこの無線通信システム１においては、パーソナルコンピュータ３からカメラ付ＰＤＡ２が離開していくとき、ユーザに何ら操作させることなく、当該オーディオ機器５の音楽再生処理をカメラ付ＰＤＡ２に引き継がせることができる。
【０１００】
以上の構成によれば、例えば、カメラ付ＰＤＡ２を携帯したユーザがホームネットワークＨＮ中のパーソナルコンピュータ３に近づいたとき、ユーザに何ら操作を行わせることなく、カメラ付ＰＤＡ２における音楽再生処理の続きをオーディオ機器５に実行させることができ、また逆にカメラ付ＰＤＡ２を携帯したユーザがホームネットワークＨＮ中のパーソナルコンピュータ３から離れたときも、ユーザに何ら操作を行わせることなく、オーディオ機器５における音楽再生処理の続きをカメラ付ＰＤＡ２に実行させることができる。この結果、格段と使い勝手を向上させ得る無線通信システム１を実現することができる。
【０１０１】
また本実施の形態の無線通信システム１において、パーソナルコンピュータ３は、例えば新規の静止画像データを記憶保持しているカメラ付ＰＤＡ２の接近を認識すると、このカメラ付ＰＤＡ２から当該新規の静止画像データを自動的に取得する。これによりこの無線通信システム１においては、ユーザに対して、当該新規の静止画像をパーソナルコンピュータへアップロードする操作を行わせなくて良く、かくして使い勝手を一段と向上させることができる。
【０１０２】
（８）他の実施の形態
なお上述の実施の形態においては、図６に示すように、接続処理（ステップＳＰ７Ａ及びステップＳＰ７Ｂ）を行う前に、接近・離開認識処理（ステップＳＰ５）を実行する場合について述べたが、本発明はこれに限らず、接続処理（ステップＳＰ７Ａ及びステップＳＰ７Ｂ）を行ってカメラ付ＰＤＡ２との間で無線接続を確立した後に、接近・離開認識処理を実行するようにしても良い。この場合パーソナルコンピュータ３は、接近・離開認識処理の実行時、カメラ付ＰＤＡ２との間で無線接続が確立されているので、ＲＳＳＩを主体的に算出することができ、その結果、当該算出結果に基づいてカメラ付ＰＤＡ２の接近又は離開を判断することができる。
【０１０３】
さらに上述の実施の形態においては、接近・離開認識処理として、ＲＳＳＩに基づいて、カメラ付ＰＤＡ２がパーソナルコンピュータ３を中心とする所定範囲内に進入したか否かを判定し、当該判定結果に基づいてカメラ付ＰＤＡ２の接近及び離開を判断する場合について述べた。しかしながら本発明はこれに限らず、例えばＲＳＳＩを一定周期で測定し続けて受信信号強度の変動を認識し、当該受信信号強度が時間の経過に伴って強くなる場合には、カメラ付ＰＤＡ２が接近していると判断し、当該受信信号強度が時間の経過に伴って弱くなる場合には、カメラ付ＰＤＡ２が離れていくと判断するようにしても良い。
【０１０４】
ところで上述の実施の形態における接近・離開認識処理では、ＲＳＳＩを利用して、カメラ付ＰＤＡ２の接近及び離開を認識する場合について述べたが、本発明はこれに限らず、例えば以下に示すような、第１又は第２の手法による接近・離開認識処理を適用するようにしても良い。
【０１０５】
ここで第１の手法による接近・離開認識処理を説明する。まずステップＳＰ２（図６）においてパーソナルコンピュータ３は、問い合わせ信号を送出する際の送出電力を少しずつ強めることにより、当該問い合わせ信号の到達距離を徐々に変化させる。やがてパーソナルコンピュータ３は、カメラ付ＰＤＡ２から問い合わせ信号に対する応答信号を受信すると、当該応答信号に対応する問い合わせ信号を送出したときの到達距離を、カメラ付ＰＤＡ２までの距離として認識する。そして、認識したカメラ付ＰＤＡ２までの距離が、パーソナルコンピュータ３を中心とする所定範囲内であるとき、カメラ付ＰＤＡ２が接近している状態にあると判断し、また逆に認識したカメラ付ＰＤＡ２までの距離が、当該所定範囲を超えていたとき、カメラ付ＰＤＡ２が離れていく状態にあると判断するようにしても良い。またパーソナルコンピュータ３は、カメラ付ＰＤＡ２までの距離を周期的に複数回認識し、この結果得られた複数回分の認識結果を平均して、これを最終的にカメラ付ＰＤＡ２までの距離として認識するようにしても良く、このようにすれば、カメラ付ＰＤＡ２までの距離を一段と正確に認識することができる。さらにパーソナルコンピュータ３は、カメラ付ＰＤＡ２までの距離を周期的に認識するようにし、当該周期的に認識している距離の変動に基づいて、カメラ付ＰＤＡ２が接近しているのか又は離れていくのかを判断するようにしても良い。
【０１０６】
次に第２の手法による接近・離開認識処理を説明する。この場合の前提として、カメラ付ＰＤＡ２とパーソナルコンピュータ３との間では、ＵＷＢ（Ultra Wide Band）に代表される非常に短いパルスを放射する無線通信方式によって、無線通信が行われるものとする。この第２の手法においてパーソナルコンピュータ３は、カメラ付ＰＤＡ２への送信信号を送出してから、当該送信信号に対する応答信号をカメラ付ＰＤＡ２から受信するまでの時間（いわゆる応答時間）を計測する。そして、計測した応答時間から所定時間を減算し、この結果得られた時間を更に２で除算し、当該除算結果に対して光速を乗算し、当該乗算結果をカメラ付ＰＤＡ２までの距離として認識する（因みにかかる所定時間は、カメラ付ＰＤＡ２が送信信号を受信してから応答信号を送出するまでに要した処理時間である）。そして、認識したカメラ付ＰＤＡ２までの距離が、パーソナルコンピュータ３を中心とする所定範囲内であるとき、カメラ付ＰＤＡ２が接近している状態にあると判断し、また逆に認識したカメラ付ＰＤＡ２までの距離が、当該所定範囲を超えていたとき、カメラ付ＰＤＡ２が離れていく状態にあると判断するようにしても良い。またパーソナルコンピュータ３は、カメラ付ＰＤＡ２までの距離を周期的に複数回認識し、この結果得られた複数回分の認識結果を平均して、これを最終的にカメラ付ＰＤＡ２までの距離として認識するようにしても良く、このようにすれば、カメラ付ＰＤＡ２までの距離を一段と正確に認識することができる。さらにパーソナルコンピュータ３は、カメラ付ＰＤＡ２までの距離を周期的に認識するようにし、当該周期的に認識している距離の変動に基づいて、カメラ付ＰＤＡ２が接近しているのか又は離れていくのかを判断するようにしても良い。
【０１０７】
さらに上述の実施の形態においては、カメラ付ＰＤＡ２とパーソナルコンピュータ３との間におけるブルートゥース（Ｒ）接続において、ＰＡＮプロファイルを適用する場合について述べたが、本発明はこれに限らず、この他の種々のプロファイルを用いるようにしても良い。
【０１０８】
さらに上述の実施の形態においては、カメラ付ＰＤＡ２、パーソナルコンピュータ３及びオーディオ機器５のそれぞれが、各種サービスや各種データを相互に提供し得るようにするために、ＵＰｎＰ（Ｒ）に準拠した方式を適用する場合について述べたが、本発明はこれに限らずこの他種々の方式を適用するようにしても良い。
【０１０９】
さらに上述の実施の形態では、処理引継システムとしての無線通信システム１において、カメラ付ＰＤＡ２とパーソナルコンピュータ３とが、ブルートゥース（Ｒ）に準拠して、近距離無線通信する場合について述べたが、本発明はこれに限らず、Ｚｉｇｂｅｅ、赤外線通信、ＵＷＢ、無線ＬＡＮ方式（IEEE802.11a/b/g等）、無線ＰＡＮ（Personal Area Network）方式（IEEE802.15系）等を適用するようにしても良い。
【０１１０】
さらに上述の実施の形態では、携帯端末としてカメラ付ＰＤＡ２を適用する場合について述べたが、本発明はこれに限らず、パーソナルコンピュータ３と無線通信することができれば、携帯電話機や、ＣＤ（Compact Disk）やＭＤ（Mini Disk）を再生し得るようになされた携帯型音楽再生機、デジタルカメラ、デジタルビデオカメラ等を適用するようにしても良い。
【０１１１】
さらに上述の実施の形態では、処理引継装置としてパーソナルコンピュータ３を適用する場合について述べたが、本発明はこれに限らず、カメラ付ＰＤＡ２と無線通信することができれば、例えば、オーディオ機器５に適用するようにしても良いし、パーソナルビデオレコーダ（ＰＶＲ：Personal Video Recorder）やテレビジョン等のこの他種々の情報処理装置や電子機器を適用するようにしても良い。
【０１１２】
さらに上述の実施の形態では、携帯端末の接近及び離開を認識する接近・離開認識手段として、パーソナルコンピュータ３のＣＰＵ３０を適用する場合について述べたが、本発明はこれに限らず、例えばＭＰＵ（Micro Processing Unit）等を適用するようにしても良い。
【０１１３】
さらに上述の実施の形態では、接近・離開認識手段によって携帯端末の接近を認識すると、携帯端末の処理を処理引継装置側に引き継ぎ、接近・離開認識手段によって携帯端末の離開を認識すると、処理引継装置側の処理を携帯端末に引き継がせる処理引継手段として、また接近・離開認識手段によって携帯端末の接近を認識したとき、当該携帯端末に記憶保持されているデータを取得するデータ取得手段として、パーソナルコンピュータ３のＣＰＵ３０を適用する場合について述べたが、本発明はこれに限らず、例えばＭＰＵ等を適用するようにしても良い。
【０１１４】
さらに上述の実施の形態では、携帯端末までの距離を周期的に認識する距離認識手段として、また携帯端末へ送信する送信信号の到達距離を順次変化させる到達距離可変手段として、さらに携帯端末への送信信号を送信したときから当該送信信号に対する携帯端末からの応答信号を受信するまでの応答時間を計測する計測手段として、さらに携帯端末から受信した受信信号に基づいて受信信号強度を認識する信号強度認識手段として、パーソナルコンピュータ３のＣＰＵ３０を適用する場合について述べたが、本発明はこれに限らず、例えばＭＰＵ等を適用するようにしても良い。
【０１１５】
さらに上述の実施の形態では、送信信号に対する携帯端末からの応答信号を受信する受信手段として、パーソナルコンピュータ３のアンテナ４２及び近距離無線通信部３７を適用する場合について述べたが、本発明はこれに限らず、この他種々の構成を適用するようにしても良い。
【０１１６】
さらに上述の実施の形態では、携帯端末と無線通信する処理引継装置に対して実行させる処理引継プログラムとしての引継処理プログラムが予めパーソナルコンピュータ３のＲＯＭ３２に格納されている場合について述べたが、本発明はこれに限らず、引継処理プログラムの格納された例えばＣＤ−ＲＯＭ（Compact Disc Read Only Memory）、ＤＶＤ−ＲＯＭ（Digital Video Disc Read Only  Memory）等のパッケージメディアでなるプログラム格納媒体を再生することにより引継処理プログラムをインストールしても良い。
【産業上の利用可能性】
【０１１７】
本発明は、ＰＤＡ等の携帯端末と無線通信が可能なパーソナルコンピュータやパーソナルビデオレコーダ、オーディオ機器等に適用することができる。
【図面の簡単な説明】
【０１１８】
【図１】本実施の形態における無線通信システムの全体構成を示す略線図である。
【図２】ルータの回路構成を示す略線図である。
【図３】パーソナルコンピュータの回路構成を示す略線図である。
【図４】カメラ付ＰＤＡの回路構成を示す略線図である。
【図５】オーディオ機器の回路構成を示す略線図である。
【図６】引継処理手順（１）を示すシーケンスチャートである。
【図７】引継処理手順（２）を示すシーケンスチャートである。
【図８】動作内容定義テーブルの様子を示す略線図である。
【図９】動作内容決定処理手順を示すフローチャートである。
【図１０】動作内容テーブルの様子（１）を示す略線図である。
【図１１】引継処理手順（３）を示す略線図である。
【図１２】引継処理手順（４）を示す略線図である。
【図１３】動作内容テーブルの様子（２）を示す略線図である。
【符号の説明】
【０１１９】
１……無線ＬＡＮシステム、２……カメラ付ＰＤＡ、３……パーソナルコンピュータ、３０、５０……ＣＰＵ、３７、５７……近距離無線通信部。
【図１】
2005065125.tif 000003
【図２】
2005065125.tif 000004
【図３】
2005065125.tif 000005
【図４】
2005065125.tif 000006
【図５】
2005065125.tif 000007
【図６】
2005065125.tif 000008
【図７】
2005065125.tif 000009
【図８】
2005065125.tif 000010
【図９】
2005065125.tif 000011
【図１０】
2005065125.tif 000012
【図１１】
2005065125.tif 000013
【図１２】
2005065125.tif 000014
【図１３】
2005065125.tif 000015